Podtech/llm-jp-corpus-v4-ja_patent huggingface dataset:
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
グループ内のデータ値の数より多い値を含む選択されたデータストリング内の所定のデータ値グループをメモリから取得する方法であって、
第１と第２の部分を含むアドレス要求を生成する段階であって、第１の部分は選択された関心データストリングを特定し、第２の部分は選択されたストリング内で所定の関心値グループを特定する段階と、
前記アドレス要求の第１の部分を前記メモリに作用させて、読み出し動作中に前記選択されたデータストリングを読み出す段階と、
前記アドレス要求の第２の部分により、選択されたストリングをマスキングして、前記選択されたストリング内の前記所定のデータ値グループを選択する段階と、を有することを特徴とする。
【請求項２】
請求項に記載の方法であって、さらに、
前記第１と第２の部分がそれぞれ少なくとも１つの最上位ビットと少なくとも１つの最下位ビットを有するように、前記アドレス要求を生成する段階と、を有することを特徴とする方法。
【請求項３】
請求項１に記載の方法であって、
前記マスキングする方法は、
前記選択されたデータストリングをデマルチプレクサに作用させる段階と、
前記アドレス要求の第２の部分により前記デマルチプレクサを制御する段階と、を有することを特徴とする方法。
【請求項４】
請求項１に記載の方法であって、
前記選択されたデータストリングは各グループの所定のデータ値の数より少なくとも２多いデータ値を含むことを特徴とする方法。
【請求項５】
請求項１に記載の方法であって、
選択された値ストリングは別々のサブストリングを有し、
前記マスキングするステップは、さらに、前記アドレス要求の第２の部分により各サブストリングをマスキングする段階を有することを特徴とする方法。
【請求項６】
請求項5に記載の方法であって、
前記サブストリングはＹ、Ｕ、及びＶピクセルデータを有することを特徴とする方法。
【請求項７】
選択されたサブセットより多いＹ、Ｕ、及びＶ値を含むストリングから、Ｙ、Ｕ、及びＶピクセルデータの前記選択されたサブセットを読み出してメモリアクセスレイテンシを下げる方法であって、
第１と第２の部分を含むアドレス要求を生成する段階であって、前記第１の部分は関心のあるＹ、Ｕ、及びＶ値の選択されたデータストリングを特定し、第２の部分は前記選択されたストリング内で関心のあるＹ、Ｕ、及びＶ値の前記選択されたサブセットを特定する段階と、
前記アドレス要求の第１の部分を前記メモリに送り、読み出し動作中に前記選択されたデータストリングを読み出す段階と、
前記アドレス要求の第２の部分により選択されたストリングをマスキングして、前記選択されたストリング内の前記所定のデータ値グループを選択し、単一読み出し動作中にＹ、Ｕ、及びＶ値の選択されたセットの読み出しを可能として、メモリアクセスレイテンシを下げる段階と、を有することを特徴とする方法。
【請求項８】
請求項７に記載の方法であって、Ｙ、Ｕ、及びＶピクセル値を処理するステップを更に有することを特徴とする方法。
【請求項９】
グループ内のデータ値の数より多い値を含む選択されたデータストリング内の所定のデータ値グループをメモリから取得する装置であって、
第１と第２の部分を含むアドレス要求を生成する段階であって、第１の部分は選択された関心データストリングを特定し、第２の部分は選択されたストリング内で所定の関心値グループを特定するアドレスジェネレータと、
少なくとも１つのデータ値ストリングを格納し、前記アドレス要求の第１の部分に応じて選択されたデータストリングを読み出すメモリと、
前記アドレス要求の第２の部分により、選択されたストリングをマスキングして、前記選択されたストリング内の前記所定のデータ値グループを選択する少なくとも１つのデマルチプレクサと、を有することを特徴とする装置。
【請求項１０】
請求項７に記載の装置であって、
前記アドレス要求の第１と第２の部分はそれぞれ、少なくとも１つの最上位ビットと少なくとも１つの最下位ビットを有することを特徴とする装置。
【請求項１１】
請求項９に記載の装置であって、
選択された値ストリングは別々のサブストリングを有することを特徴とする装置。
【請求項１２】
請求項９に記載の装置であって、
さらに、各々が前記アドレス要求の第２の部分により対応する各サブストリングを個別にマスキングする複数のデマルチプレクサをさらに含むことを特徴とする装置。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
輸送手段に対する第１のブランド像を設置するステップと、
第１の運行区分の間、前記第１のブランド像を有する前記輸送手段を運行するステップと、
前記第１の運行区分の完了の４８時間以内に前記輸送手段に対する第２のブランド像を設置するステップであって、前記第２のブランド像は前記第１のブランド像とは異なるステップと、
第２の運行区分の間、前記第２のブランド像を有する前記輸送手段を運行するステップと、
前記第２の運行区分の完了の４８時間以内に前記輸送手段に対する第３のブランド像を設置するステップであって、前記第３のブランド像が前記第２のブランド像とは異なるステップと、
第３の運行区分の間、前記第３のブランド像を有する前記輸送手段を運行するステップとを含む方法。
【請求項２】
前記輸送手段に対する第２のブランド像を設置するステップは、前記第１の運行区分の６時間以内に行われ、前記輸送手段に対する第３のブランド像を設置するステップは、前記第２の運行区分の完了の６時間以内に行われる、請求項１に記載の方法。
【請求項３】
前記ブランド像の各々が、航空機名とロゴ組合せ像と販売促進イメージとから選択された像を含む、請求項１に記載の方法。
【請求項４】
前記グラフィック媒体を適用するステップが、前記像を投影するステップ、機械的固定具を用いて前記グラフィック媒体を前記輸送手段に取り付けるステップ、表面コーティングを用いて前記グラフィック媒体を前記輸送手段に適用するステップ、磁気を用いて前記グラフィック媒体を前記輸送手段に取り付けるステップ、静電気を用いて前記グラフィック媒体を前記輸送手段に取り付けるステップ、表面印刷技術を用いて前記グラフィック媒体を前記輸送手段に取り付けるステップ、およびディスプレイ技術を用いて前記グラフィック媒体を前記輸送手段上に提示するステップのうちの１つを含む、請求項１に記載の方法。
【請求項５】
輸送手段の異なる運行区分に関連する事業者に関する情報を記憶しているスケジューリングデータベースと、
前記事業者に関連するブランド像コンテンツを記憶しているコンテンツデータベースと、
前記ブランド像コンテンツを用いてブランド像媒体を作製するブランド出力装置と、
前記スケジューリングデータベースにアクセスして前記運行区分のうちの１つに関連する前記事業者のうちの１つを識別し、前記コンテンツデータベースにアクセスして前記識別した事業者に関連するブランド像コンテンツを検索し、さらに前記ブランド出力装置を制御して前記識別した事業者に対する前記検索したブランド像コンテンツを担持するブランド像媒体を生成する再ブランド表示クライアントとを備える、請求項１に記載の方法を行う際に使用するシステム。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
タンク（９）に取り付けられた加湿ローラ（１０）に対して移動可能であり、該加湿ローラ（１０）と接触するか或いは接触しない、互いに分離可能にローラ（３）に巻回された紙片（４，５，６）から成る湿潤或いは乾燥した洗浄用ペーパーの格納及び最適な引き出しのための紙加湿装置であって、前記紙片（４，５，６）を案内する案内部材（１１）が部屋壁面に固設されたハウジング（８）に取り付けられた前記紙加湿装置において、
前記ハウジング（８）を前記ローラ（３）に対して所定間隔をもって前記部屋壁面に固設し、
前記案内部材（１１）として、固定された漏斗状の導入部（１４）と、該導入部（１４）の内部に設置され且つ案内溝（１６）により垂直方向にのみ摺動せしめて不意の持ち上がりが防止されたガイドバー（１５）を備え、
互いに連結された前記紙片（４，５，６）を、加湿ローラ（１０）へ向けて前記導入部（１４）と前記ガイドバー（１５）の間を通過させることを特徴とする紙加湿装置。
【手続補正２】
【補正対象書類名】明細書
【補正対象項目名】０００１
【補正方法】変更
【補正の内容】
【０００１】
本発明は、タンクに取り付けられた加湿ローラに対して移動可能であり、該加湿ローラと接触するか或いは接触しない、互いに分離可能にローラに巻回された紙片から成る湿潤或いは乾燥した洗浄用ペーパーの格納及び最適な引き出しのための紙加湿装置であって、前記紙片を案内する案内部材が部屋壁面に固設されたハウジングに取り付けられた紙加湿装置に関する。
【手続補正３】
【補正対象書類名】明細書
【補正対象項目名】０００８
【補正方法】変更
【補正の内容】
【０００８】
上記課題を達成するため、本発明は、紙片を導入するハウジングをローラに対して所定間隔をもって部屋壁面に固設し、ガイド部材として、固定された漏斗状の導入部と、該導入部の内部に設置され且つ案内溝により垂直方向にのみ摺動せしめて不意の持ち上がりが防止されたガイドバーを備え、互いに連結された前記紙片を、加湿ローラへ向けて前記導入部と前記ガイドバーの間を通過させることを特徴とする。
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
オゾンの存在下での薄力粉を含む生地の混練方法であって、
−混練作業をオゾンの存在下で少なくとも１つの機械的撹拌器（「フレーザー」）を使用して実施すること；
−少なくとも一部のオゾンを、小麦粉に添加する湿潤用の水に溶解させた状態で供給すること；
−混練装置の気体相における圧力は、少なくとも絶対圧１．１バールかつ絶対圧１．６バール以下であること；
−１時間当たりのオゾンの量（グラム）で表わされる、生地に添加するオゾンの量を、１時間当たりに製造される生地の量（キログラムで表わされる）で割った値は、０．００４〜０．０６であること；及び
−混練時間は短くとも２分間であること、
を特徴とする方法。
【請求項２】
オゾンを含む湿潤用の水を、オゾンを含むベクター気体から調製する
ことを特徴とする請求項１に記載の方法。
【請求項３】
ベクター気体は、空気、酸素、又は、これら２つの気体の混合物である
ことを特徴とする請求項２に記載の方法。
【請求項４】
湿潤用のオゾン水又は超オゾン水の調製を、多孔質装置を備えたバブリング式の溶解反応器を使用し、水注入器式の一段若しくは多段型の加圧式溶解装置の使用、又は、乾燥型若しくは液封型の圧力ブースター若しくはコンプレッサーの使用により上部気体空間を加圧して、又は加圧せずに、前記溶解反応器を作動させることによって実施する
ことを特徴とする請求項１〜３のいずれか１項に記載の方法。
【請求項５】
湿潤用の水の圧力が、少なくとも絶対圧０．５バールかつ絶対圧２．２バール以下である
ことを特徴とする請求項１〜４のいずれか１項に記載の方法。
【請求項６】
湿潤用の水の圧力が、少なくとも絶対圧１．７バールかつ絶対圧１．９バール以下である
ことを特徴とする請求項５に記載の方法。
【請求項７】
オゾンを、混練装置の上部気体空間に添加する
ことを特徴とする請求項１に記載の方法。
【請求項８】
混練装置の、オゾンを含む上部気体空間を、オゾンを含むベクター気体から調製する
ことを特徴とする請求項７に記載の方法。
【請求項９】
ベクター気体は、空気、酸素、又は、これら２つの気体の混合物である
ことを特徴とする請求項８に記載の方法。
【請求項１０】
混練装置の気体相における圧力は、少なくとも絶対圧１．３バールかつ絶対圧１．５バール以下である
ことを特徴とする請求項１〜９のいずれか１項に記載の方法。
【請求項１１】
オゾンを、選択的に、順次に、連続的に、又は、液体経路によるオゾン供給と気体経路によるオゾン供給とを連続的に繰り返すことにより、添加する
ことを特徴とする請求項１〜１０のいずれか１項に記載の方法。
【請求項１２】
用いる混練は、従来型、強力型又は超強力型である
ことを特徴とする請求項１〜１１のいずれか１項に記載の方法。
【請求項１３】
生地成分を混合するための撹拌を、高圧下での水の注入による混合システムを全く使用せず、少なくとも１つの機械的撹拌器（「フレーザー」）によってのみ実施される
ことを特徴とする請求項１〜１２のいずれか１項に記載の方法。
【請求項１４】
混練用ボウル（２）又はニーダー本体（２５）、フレーザー（３又は２６）、及び、駆動装置（６又は２４）を有し、オゾンの存在下で混練可能な混練装置であって、
オゾン水若しくは超オゾン水導入口（９又は３１）を更に有し、前記オゾン水若しくは超オゾン水が、オゾン発生器に連結された少なくとも１つの溶解反応器で調製される
ことを特徴とする混練装置。
【請求項１５】
湿潤用のオゾン水又は超オゾン水の調製を、多孔質装置を備えたバブリング式の溶解反応器を使用し、水注入器式の一段若しくは多段型の加圧式溶解装置の使用、又は、乾燥型若しくは液封型の圧力ブースター若しくはコンプレッサーの使用により上部気体空間を加圧して、又は加圧せずに、前記溶解反応器を作動させることによって実施する
ことを特徴とする請求項１４記載の混練装置。
【請求項１６】
更にオゾンガス導入口（８又は３０）からなる
ことを特徴とする請求項１４又は１５記載の混練装置。
【請求項１７】
密閉蓋（５）により閉じている混練用ボウル（２）を有し、前記蓋（５）は撹拌器（３）を密閉状態で通過させるための圧縮式シール（１１）を含み、混合速度が４０〜２００ｒｐｍの、いわゆる「従来型」の混練を実施できる
ことを特徴とする請求項１４〜１６のいずれか１項に記載の混練装置。
【請求項１８】
水槽（２１）、塩槽（２９）、小麦粉槽（２２）、イースト槽（２３）、生地を前方に運ぶための装置（２７）、及び、生地放出口（２８）を有し、混合速度が１００〜６００ｒｐｍの連続式の混練を実施できる
ことを特徴とする請求項１４〜１６のいずれか１項に記載の混練装置。
【手続補正書】
【提出日】平成20年3月6日(2008.3.6)
【手続補正１】
【補正対象書類名】特許請求の範囲
【補正対象項目名】請求項１
【補正方法】変更
【補正の内容】
【請求項１】
−磁気共鳴イメージング装置の測定空間に定常磁場を発生させる主磁石システム、
−前記測定空間に勾配磁場を発生させる勾配システム、及び
−渦電流シールドシステム
を少なくとも有する磁気共鳴イメージング装置において、前記渦電流シールドシステムは少なくとも１つの穿孔された渦電流スクリーンを有し、前記又は各穿孔された渦電流スクリーンは前記主磁石システムに割り当てられていることを特徴とする磁気共鳴イメージング装置。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
少なくとも着用者の顔を覆い、該着用者が見ることができるように配置されたバイザーを組み込んだ呼吸用保護具であって、
該呼吸用保護具は、外部から主フィルターを介して空気を引き込む主ボリュームと、該着用者の鼻と口を覆うように配置された第２ボリュームと、を画定しており、該主ボリュームから該第２ボリュームへ通過するガスをフィルター処理するための第２フィルターを備えることを特徴とする呼吸用保護具。
【請求項２】
該第２ボリュームは、該着用者の顔に接触する場所に沿って弾性シールを有する口鼻マスクの形態をとる、請求項１に記載の呼吸用保護具。
【請求項３】
空気は、該外部から、該主フィルターが嵌められた主吸気口を介し、該主ボリュームに引き込まれる、請求項１又は２に記載の呼吸用保護具。
【請求項４】
該吸気口には、更に、空気が外部から該主ボリュームに入るのを許容するが逆方向は許容しないように作用する一方向弁が取り付けられている、請求項３に記載の呼吸用保護具。
【請求項５】
該一方向弁は、該主フィルターの下流に配置されている、請求項４に記載の呼吸用保護具。
【請求項６】
更なる一方向弁が、該主ボリュームから該第２ボリュームへの空気の流れの中に取り付けられ、空気が、該主ボリュームから該第２ボリュームへ入るのを許容するが、逆方向は許容しないように作用する、請求項１から５のいずれか一項に記載の呼吸用保護具。
【請求項７】
該更なる一方向弁は、該第２フィルターの下流に配置されている、請求項６に記載の呼吸用保護具。
【請求項８】
該主ボリュームから該第２ボリュームへ流れる空気の該吸気口が、該主ボリュームにおける、該主吸気口と反対側に配置され、該主吸気口から該吸気口へ流れる空気が、該バイザーを横切って通過するようにした、請求項１から７のいずれか一項に記載の呼吸用保護具。
【請求項９】
該主ボリュームから該第２ボリュームに通過する空気のための該吸気口を吸気口として備え、空気が該第２ボリュームに流れ込む際に通る第２吸気口で終端する管を更に備えている請求項８に記載の呼吸用保護具。
【請求項１０】
該管の該吸気口は、該主ボリュームにおける、該主吸気口と反対側に配置され、該管の出口は、該主ボリュームにおける、該主吸気口と同じ側に配置されている請求項９に記載の呼吸用保護具。
【請求項１１】
該第２フィルターが、該管内に嵌め込まれている、請求項９又は１０に記載の呼吸用保護具。
【請求項１２】
該第２ボリュームには、空気を外部に吐出すことのできる吐出弁が更に取り付けられている、請求項１から１１のいずれか一項に記載の呼吸用保護具。
【請求項１３】
該第２ボリュームは、独立したボリュームを該主ボリューム内に備えており、該着用者の顔に接触する該主ボリュームのシールとは別に、独自のシールを有する、請求項１から１２のいずれか一項に記載の呼吸用保護具。
【手続補正２】
【補正対象書類名】明細書
【補正対象項目名】０００９
【補正方法】変更
【補正の内容】
【０００９】
すなわち、本発明によれば、少なくとも着用者の顔を覆い、該着用者が見ることができるように配置されたバイザーを組み込んだ呼吸用保護具であって、前記呼吸用保護具は、外部から主フィルターを介して空気を引き込む主ボリュームと、該着用者の鼻と口を覆うように配置された第２ボリュームと、を画定しており、第２フィルターを、該主ボリュームから該第２ボリュームへ通過するガスをフィルター処理するために設けることを特徴とする、呼吸用保護具を提供する。
【手続補正書】
【提出日】平成20年3月10日(2008.3.10)
【手続補正１】
【補正対象書類名】特許請求の範囲
【補正対象項目名】請求項３
【補正方法】変更
【補正の内容】
【請求項３】
前記又は各アクティブシールド装置を駆動させるのに使用される前記電流及び前記勾配コイル電流は、異なる大きさ及び位相シフトにより特徴付けされ、前記大きさ及び前記位相シフトは、前記主磁石システムの内部への磁場の浸透を減少させると共に、前記主磁石システムにおいて誘導される機械的な力を減少させるように決められることを特徴とする請求項２に記載の磁気共鳴イメージング装置。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
tim-1、tim-2またはtim-4の発現または活性を低減する因子の治療有効量を含む、Th1媒介性障害の治療又は予防薬。
【請求項２】
前記Th1媒介性障害が自己免疫疾患である、請求項1に記載の治療又は予防薬。
【請求項３】
前記因子が、tim-1のtim-4に対する結合を低減する、請求項1に記載の治療又は予防薬。
【請求項４】
前記因子が、
(i)配列番号3のアミノ酸31〜133;
(ii)配列番号4のアミノ酸31〜134;
(iii)配列番号3のアミノ酸31〜133と少なくとも90%同一であるアミノ酸配列;
(iv)配列番号4のアミノ酸31〜134と少なくとも90%同一であるアミノ酸配列;または
(v)配列番号3、配列番号4、配列番号9、配列番号10、配列番号11および配列番号12からなる群より選択されるアミノ酸配列を含むtim-4ポリペプチドと少なくとも90%同一であるアミノ酸配列
を含むポリペプチドを含む、請求項3に記載の治療又は予防薬。
【請求項５】
tim-1、tim-2またはtim-4の発現または活性を増加させる因子の治療有効量を含む、Th2媒介性障害の治療又は予防薬。
【請求項６】
前記Th2媒介性障害が、アトピー性障害である、請求項5に記載の治療又は予防薬。
【請求項７】
前記因子が、
(i)配列番号3のアミノ酸31〜133;
(ii)配列番号4のアミノ酸31〜134;
(iii)配列番号3のアミノ酸31〜133と少なくとも90%同一であるアミノ酸配列;
(iv)配列番号4のアミノ酸31〜134と少なくとも90%同一であるアミノ酸配列;または
(v)配列番号3、配列番号4、配列番号9、配列番号10、配列番号11および配列番号12からなる群より選択されるアミノ酸配列を含むtim-4ポリペプチドと少なくとも90%同一であるアミノ酸配列
を含むポリペプチドを含む、請求項5に記載の治療又は予防薬。
【請求項８】
tim-1、tim-2またはtim-4の活性を上昇させる因子の治療有効量を含む、Th1免疫応答を促進するための医薬。
【請求項９】
tim-1、tim-2またはtim-4の活性を低減する因子の治療有効量を含む、移植寛容を増加させるための医薬。
【請求項１０】
tim-1ポリペプチドとtim-4ポリペプチドとの間の結合を調節する因子を同定する方法であって:
(a)該tim-1ポリペプチドと該tim-4ポリペプチドとを、試験因子の存在下で接触させる工程;および
(b)該tim-1ポリペプチドと該tim-4ポリペプチドとの結合に対する該試験因子の影響を決定する工程を包含し、それにより、該tim-1ポリペプチドと該tim-4ポリペプチドとの間の結合を調節する因子が同定される、方法。
【請求項１１】
tim-4のtim-1に対する結合に寄与する、tim-4中のアミノ酸残基を同定する方法であって、該方法は、
(a)(i)tim-4 IgVドメインを含むポリペプチドであって、ここで該tim-4 IgVドメインが、配列番号4の残基31〜134に示すtim-4 IgVドメインに対して1と10との間のアミノ酸残基置換を有する、ポリペプチドと
(ii)tim-4に結合し得る、tim-1ポリペプチドとを接触させる工程
(b)該ポリペプチドと該tim-1ポリペプチドとの間の複合体の形成を検出する工程;および
(c)該複合体の形成を適切なコントロールに対して比較する工程を包含し、ここで、該複合体の形成の程度が、該適切なコントロールと異なるならば、アミノ酸は、tim-1への結合に寄与すると同定される、方法。
【請求項１２】
以下のポリペプチドの治療有効量を含む、A型肝炎感染の治療又は予防薬。
(i)配列番号3のアミノ酸31〜133; 
(ii)配列番号4のアミノ酸31〜134; 
(iii)配列番号3のアミノ酸31〜133と少なくとも90%同一であるアミノ酸配列; 
(iv)配列番号4のアミノ酸31〜134と少なくとも90%同一であるアミノ酸配列;または 
(v)配列番号3、配列番号4、配列番号9、配列番号10、配列番号11および配列番号12からなる群より選択されるアミノ酸配列を含むtim-4ポリペプチドと少なくとも90%同一であるアミノ酸配列
【請求項１３】
tim-4 IgVドメイン、tim-4細胞内ドメイン、および短縮型tim-4ムチンドメインを含む単離されたポリペプチドであって、該ポリペプチドは、tim-4膜貫通ドメインを含まない、ポリペプチド。
【請求項１４】
組成物であって、請求項13に記載の単離されたポリペプチドおよび薬学的に受容可能なキャリアを含む、組成物。
【請求項１５】
請求項13に記載のポリペプチドをコードする、単離された核酸。
【請求項１６】
tim-4 IgVドメインおよび短縮型tim-4ムチンドメインを含む単離されたポリペプチドであって、該ポリペプチドは、tim-4膜貫通ドメインもtim-4細胞内ドメインも含まない、ポリペプチド。
【請求項１７】
配列番号10に示すアミノ酸配列を含む、請求項16に記載の単離されたポリペプチド。
【請求項１８】
請求項16に記載のポリペプチドをコードする、単離された核酸。
【請求項１９】
T細胞増幅を増強するために十分な量のtim-4ポリペプチドを含む、T細胞増幅を増強するための医薬。
【請求項２０】
T細胞増幅を抑制するために十分な量のtim-4ポリペプチドを含む、T細胞増幅を抑制するための医薬。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
以下の段階を含む、ポリヌクレオチドを含有する溶液から少なくとも1つのポリヌクレオチドを分離する方法：
ポリヌクレオチドを含む溶液を調製する段階；
デキストランを含む少なくとも1つの表面を有する磁性粒子と、少なくとも1つのポリヌクレオチドを含有する溶液とを混合して、混合物を作製する段階；
少なくとも1つのポリヌクレオチドが少なくとも1つの表面に結合する濃度に、混合物の塩濃度および有機溶媒濃度を調節し、修飾された表面を作製する段階；
混合物の残りから少なくとも1つの修飾された表面を分離すると同時に、少なくとも1つのポリヌクレオチドを表面に結合する段階；および
修飾された表面を溶出緩衝液と接触させ、それによって少なくとも1つの表面から少なくとも1つのポリヌクレオチドを分離する段階。
【請求項２】
表面が磁性微粒子上である、請求項1記載の方法。
【請求項３】
表面の分離段階が、磁石を使用して実施される、請求項2記載の方法。
【請求項４】
少なくとも1つの表面に結合した少なくとも1つのポリヌクレオチドを、表面に結合した1つまたは複数の不純物を溶解するが、少なくとも1つの表面に結合した少なくとも1つのポリヌクレオチドを残存させる緩衝溶液で洗浄する、請求項1記載の方法。
【請求項５】
少なくとも1つのポリヌクレオチドが、少なくとも1つのRNAであるとさらに規定される、請求項1記載の方法。
【請求項６】
表面への実質的なDNAの結合を可能にしないが、表面へのRNAの結合を可能にする選択的な結合溶液を使用する段階を含む方法において、少なくとも1つの表面に結合した少なくとも1つのRNAを結合する段階を含むとさらに規定される、請求項5記載の方法。
【請求項７】
表面に結合したRNAを選択的な洗浄溶液で洗浄し、選択的な結合溶液は、表面に結合したDNAフラグメントを実質的に溶解するが、RNAフラグメントを実質的に表面に結合させたままにする、請求項5記載の方法。
【請求項８】
表面から少なくとも1つのRNAフラグメントを溶出するが、DNAフラグメントを実質的に表面に結合させたままにする選択的溶出溶液で、少なくとも1つの表面に結合した少なくとも1つのRNAを溶出する、請求項5記載の方法。
【請求項９】
少なくとも1つのポリヌクレオチドが1つまたは複数の酵素で消化され、少なくとも1つの支持体に結合している、請求項1記載の方法。
【請求項１０】
ポリヌクレオチドが、ウイルスポリヌクレオチドまたはウイルス成分をコードするポリヌクレオチドである、請求項1記載の方法。
【請求項１１】
溶液が生体試料または生体試料の溶解物である、請求項1記載の方法。
【請求項１２】
溶液が、インビトロ転写反応物、逆転写反応物、第2鎖DNA合成反応物、DNase反応物、PCR反応物またはRNA増幅反応物である、請求項1記載の方法。
【請求項１３】
DNA、RNAおよび／またはPNAを単離または濃縮する方法としてさらに規定される、請求項1記載の方法。
【請求項１４】
溶液を調製する段階が、RNA増幅反応、インビトロ転写反応、逆転写反応、第2鎖DNA合成反応、DNase反応および／またはPCR反応を実施する段階を含む、請求項1記載の方法。
【請求項１５】
溶液を調製する段階が細胞を溶解する段階を含む、請求項1記載の方法。
【請求項１６】
塩濃度が、塩化ナトリウム、塩化マグネシウム、塩化カルシウム、塩化カリウム、塩化リチウム、塩化バリウム、塩化セシウム、過塩素酸ナトリウム、イソチオシアン酸グアニジニウム(guanidinium isothiocyanate)、塩酸グアニジニウム(guanidinium hydrochloride)、ヨウ化カリウムおよびヨウ化ナトリウムのうち少なくとも1つを含む、1つまたは複数の塩の濃度である、請求項1記載の方法。
【請求項１７】
塩濃度が0.1 M〜5 Mである、請求項16記載の方法。
【請求項１８】
有機溶媒濃度が、C1〜C5アルコール、ポリエチレングリコール、ジメチルスルホキシドまたはアセトンの少なくとも1つを含む、1つまたは複数の有機溶媒の濃度である、請求項1記載の方法。
【請求項１９】
有機溶媒の濃度が、約5%〜50%に調節される、請求項18記載の方法。
【請求項２０】
塩が、イソチオシアン酸グアニジニウムである、請求項16記載の方法。
【請求項２１】
ポリヌクレオチド溶液が、血液の溶解物、血液分画、新鮮組織、固定組織または培養細胞を含む、請求項1記載の方法。
【請求項２２】
ポリヌクレオチドが、細菌ポリヌクレオチドまたは細菌成分をコードするポリヌクレオチドである、請求項1記載の方法。
【請求項２３】
ポリヌクレオチドが、真核生物ポリヌクレオチドまたは真核生物成分をコードするポリヌクレオチドである、請求項1記載の方法。
【請求項２４】
ポリヌクレオチドがDNAである、請求項1記載の方法。
【請求項２５】
溶液を調製する段階が、溶液中のRNA、DNAまたはPNAをレポーター色素に結合する段階を含む、請求項1記載の方法。
【請求項２６】
RNA、DNAまたはPNAを単離または濃縮する方法としてさらに規定される、請求項1記載の方法。
【請求項２７】
RNA、DNAまたはPNAをレポーター色素に結合する段階をさらに含む、請求項26記載の方法。
【請求項２８】
RNA、DNAまたはPNAをフラグメント化する段階、次いでフラグメント化したRNA、DNAまたはPNAの少なくとも一部をマイクロアレイにハイブリダイズする段階をさらに含む、請求項26記載の方法。
【請求項２９】
RNA、DNAまたはPNAの少なくとも一部をマイクロアレイにハイブリダイズする段階をさらに含む、請求項26記載の方法。
【請求項３０】
ポリヌクレオチドを含む溶液が固定組織から調製される、請求項1記載の方法。
【請求項３１】
有機溶媒が、ポリビニルピロリドン、エタノール、またはイソプロパノールを含む、請求項1記載の方法。
【請求項３２】
少なくとも1つの表面が、ポリエチレングリコール、またはFicoll（登録商標）をさらに含む、請求項1記載の方法。
【請求項３３】
デキストランがデキストランスルホネートである、請求項1記載の方法。
【請求項３４】
結合緩衝液またはその1つもしくは複数の成分、および少なくとも1つのポリマー修飾表面を含むキットであって、結合緩衝液が、使用中に表面にポリヌクレオチドを結合するのに好適な濃度の好適な塩および好適な有機溶媒を含み、ポリマー修飾表面が、デキストランを含むとさらに規定される、キット。
【請求項３５】
溶出緩衝液またはその1つもしくは複数の成分をさらに含み、溶出緩衝液が、使用中に表面に結合したポリヌクレオチドを溶解することができる、請求項34記載のキット。
【請求項３６】
洗浄緩衝液またはその1つもしくは複数の成分をさらに含み、洗浄緩衝液が、使用中に表面に結合した不純物を溶解することができるが、表面に結合した選択的なポリヌクレオチドを溶解することができない、請求項34記載のキット。
【請求項３７】
使用中にRNAまたはDNAの無傷性を保存する、試薬またはその1つもしくは複数の成分をさらに含む、請求項35記載のキット。
【請求項３８】
デキストランがデキストランスルホネートである、請求項35記載のキット。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
哺乳類精子鞭毛エネルギーキャリアタンパク質、またはそのホモログ、誘導体、もしくは断片、ここで該タンパク質は、配列番号2または配列番号4のアミノ酸配列またはそのホモログ、誘導体もしくは断片を含む。
【請求項２】
精子鞭毛の主部に局在するものである、請求項1の精子鞭毛エネルギーキャリアタンパク質。
【請求項３】
配列番号2のアミノ酸配列または配列番号2に実質的に類似のアミノ酸配列を含む、請求項1の精子鞭毛エネルギーキャリアタンパク質。
【請求項４】
アデニンヌクレオチド転位酵素である、請求項1の精子鞭毛エネルギーキャリアタンパク質。
【請求項５】
請求項1の精子鞭毛エネルギーキャリアタンパク質および医薬上許容される担体を含む医薬組成物。
【請求項６】
精子鞭毛エネルギーキャリアタンパク質、またはそのホモログ、誘導体、もしくは断片をコードする核酸配列、またはそのホモログ、誘導体、もしくは断片を含む、単離核酸。
【請求項７】
請求項6の単離核酸を含むベクター。
【請求項８】
該ベクターがそれに作動可能に連結したプロモーター/調節配列を規定する核酸をさらに含む、請求項7のベクター。
【請求項９】
請求項7のベクターを含む宿主細胞。
【請求項１０】
哺乳類細胞である請求項9の宿主細胞。
【請求項１１】
請求項8のベクターを含む宿主細胞。
【請求項１２】
哺乳類細胞である請求項11の宿主細胞。
【請求項１３】
配列番号1もしくは配列番号3の配列、または、配列番号1もしくは配列番号3に実質的に類似の配列を有する核酸を含む、請求項6の単離核酸。
【請求項１４】
配列番号2または配列番号4を含む精子鞭毛エネルギーキャリアタンパク質をコードする核酸配列を含む、請求項6の単離核酸。
【請求項１５】
精子鞭毛エネルギーキャリアタンパク質、またはそのホモログ、誘導体、もしくは断片をコードする単離核酸に相補的な単離核酸および医薬上許容される担体を含む組成物。
【請求項１６】
精子鞭毛エネルギーキャリアタンパク質、またはそのホモログ、誘導体、もしくは断片に特異的に結合する抗体。
【請求項１７】
配列番号2のアミノ酸配列を含む精子鞭毛エネルギーキャリアタンパク質、またはそのホモログ、誘導体、もしくは断片に特異的に結合する、請求項6の抗体。
【請求項１８】
モノクローナル抗体である請求項17の抗体。
【請求項１９】
請求項16の抗体および医薬上許容される担体を含む医薬組成物。
【請求項２０】
配列番号2のアミノ酸配列を有するタンパク質、またはその抗原性ホモログ、誘導体、もしくは断片、および医薬上許容される担体を含む抗原性組成物。
【請求項２１】
さらにアジュバントを含む請求項20の組成物。
【請求項２２】
対象から得たサンプルにおける精子鞭毛エネルギーキャリアタンパク質の発現、機能、またはレベルを測定する工程を含む方法に用いるための、精子鞭毛エネルギーキャリアタンパク質の異常な発現、機能、またはレベルに関連する精子鞭毛エネルギーキャリアタンパク質-関連疾患または障害の診断用組成物：ここで、精子鞭毛エネルギーキャリアタンパク質-関連疾患または障害ではない対照対象からのサンプルにおける精子鞭毛エネルギーキャリアタンパク質の発現、機能、またはレベルの量と比較して、サンプルにおける精子鞭毛エネルギーキャリアタンパク質の発現、機能、またはレベルの量が異なることが、精子鞭毛エネルギーキャリアタンパク質-関連疾患または障害の存在を示す。
【請求項２３】
精子鞭毛エネルギーキャリアタンパク質または該精子鞭毛エネルギーキャリアタンパク質の生理活性ホモログ、誘導体、または断片をコードする核酸配列を含む少なくとも１つの単離核酸、および医薬上許容される担体を含む、治療を必要とする対象における精子鞭毛エネルギーキャリアタンパク質-関連疾患または障害の治療用組成物。
【請求項２４】
精子鞭毛エネルギーキャリアタンパク質の発現、機能、またはレベルの、少なくとも１つの調節因子および医薬上許容される担体を含む、治療を必要とする対象における精子鞭毛エネルギーキャリアタンパク質-関連疾患または障害の治療用組成物。
【請求項２５】
精子鞭毛エネルギーキャリアタンパク質の発現、機能、またはレベルの、少なくとも１つの調節因子および医薬上許容される担体を含む、対象における精子鞭毛エネルギーキャリアタンパク質の発現、機能、またはレベルの調節用組成物。
【請求項２６】
精子鞭毛エネルギーキャリアタンパク質の発現、機能またはレベルの調節因子が精子鞭毛エネルギーキャリアタンパク質の発現、機能またはレベルの阻害剤である、請求項25の組成物。
【請求項２７】
該調節因子が抗体である、請求項26の組成物。
【請求項２８】
精子鞭毛エネルギーキャリアタンパク質の発現、機能またはレベルを調節する量の、精子鞭毛エネルギーキャリアタンパク質の調節因子および医薬上許容される担体を含む組成物を含み、さらにその使用のためのアプリケーターおよび説明材料を含む、対象における精子鞭毛エネルギーキャリアタンパク質-関連疾患または障害の治療用キット。
【請求項２９】
精子鞭毛エネルギーキャリアタンパク質を調節する量の、精子鞭毛エネルギーキャリアタンパク質の発現、機能またはレベルの調節因子および医薬上許容される担体を含む組成物を含み、さらにその使用のためのアプリケーターおよび説明材料を含む、精子鞭毛エネルギーキャリアタンパク質の発現、機能またはレベルの調節用キット。
【請求項３０】
精子鞭毛エネルギーキャリアタンパク質の発現、機能またはレベルの該調節因子が、精子鞭毛エネルギーキャリアタンパク質の発現、機能またはレベルを阻害する、請求項29のキット。
【請求項３１】
該調節因子が抗体である、請求項30のキット。
【請求項３２】
細胞と被験化合物とを接触させる工程、該細胞における精子鞭毛エネルギーキャリアタンパク質の発現、機能またはレベルを測定する工程を含む、細胞における精子鞭毛エネルギーキャリアタンパク質の発現、機能またはレベルの阻害剤の同定方法であって、該被験化合物と接触していない点以外は同一の細胞における精子鞭毛エネルギーキャリアタンパク質の発現、機能またはレベルと比較して、該細胞における精子鞭毛エネルギーキャリアタンパク質の発現、機能またはレベルがより低レベルであることが、該被験化合物が細胞における精子鞭毛エネルギーキャリアタンパク質の発現、機能またはレベルの阻害剤であることを示す、方法。
【請求項３３】
該細胞がヒト細胞である請求項32の方法。
【請求項３４】
該阻害剤が抗体である請求項32の方法。
【請求項３５】
該抗体が配列番号2の配列または配列番号2に実質的に類似の配列を有する精子鞭毛エネルギーキャリアタンパク質、またはそのホモログ、誘導体、あるいは断片に対するものである請求項34の方法。
【請求項３６】
精子鞭毛エネルギーキャリアタンパク質のアデニンヌクレオチド転位酵素機能を阻害する化合物を同定するものである、請求項32の方法。
【請求項３７】
請求項32の方法によって同定される化合物。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
底部、甲部および着用者の足首関節を越えない高さの踵部を含む履物において、該履物は、
着用時に足首を挿入できる開口部を有し、かつ、足首関節が介在する足の一部と脚の一部とを支持する足首支持具を備え、該足首支持具の下部が該履物の内側に固定されていることと、該足首支持具は、
該足首支持具の少なくとも一部が着用者の足首関節上部の脚部分をくるむように構成された脚被覆手段と、
該履物に固定された足首支持具の下部から延びて、該脚被覆手段に達する支持手段とを備え、該支持手段は着用者の足が足首関節を中心にして所定の範囲を越えて動くことを防止することと、該支持手段は、
着用者のアキレス腱に沿って配置されて、かつ、該履物に固定された下部から延びて、足首上部の該脚被覆手段の一部に達する第１補強ストリップ部と、
着用者の内側くるぶし上に配置されて、かつ、該履物に固定された下部から延びて、該脚被覆手段に達する第２補強ストリップ部と、
着用者の外側くるぶし上に配置されて、かつ、該履物に固定された下部から延びて、該脚被覆手段に達する第３ストリップ部と、
通気性のある軟質材料から形成され、かつ、該第１、第２および第３補強ストリップ部の間に配置されて該履物の内外部へ空気の流出入を可能にする通気部とを備えることを特徴とする履物。
【請求項２】
前記脚被覆手段が、着用者の足首関節上部の脚部をくるむように前記支持手段の上端に連結されるストリップを含む請求項１に記載の履物。
【請求項３】
前記甲部が、
着用者の足先を覆うトウトップと、
足の甲の内側を覆う第１バンプと、
足の甲の外側を覆う第２バンプと、
該トウトップに対して一端が連結されて足の甲を覆う舌部とを備える請求項１に記載の履物。
【請求項４】
前記足首支持具の少なくとも一部が前記踵部、前記第１バンプ、または前記第２バンプに固定される請求項３に記載の履物。
【請求項５】
前記舌部が、着用者の足首が曲がる位置から上方へ延設されて、前記履物内部の熱を外部へ放出する放熱部を含む請求項３に記載の履物。
【請求項６】
前記舌部が、前記放熱部の両側から外方へ延びて前記履物の内側に固定される１対の延長部を含む請求項５に記載の履物。
【請求項７】
前記延長部の各々の少なくとも一部が弾力性を有する弾性バンドからなる請求項６に記載の履物。
【請求項８】
前記延長部の各々が、前記履物の内側と前記足首支持具の外側との間に位置する状態で前記履物の内側に固定される請求項６に記載の履物。
【請求項９】
前記第１バンプの側端と前記第２バンプの側端を引き寄せて互いに近づけるバンプ締め付け部をさらに備える請求項３に記載の履物。
【請求項１０】
前記足首支持具の脚被覆手段が、着用者の足の甲から脛骨に至る位置において切開かれていることと、
締め付け部が、該脚被覆手段の両端を引き寄せて互いに近づけるために該切開かれた位置において形成されることとを特徴とする請求項９に記載の履物。
【請求項１１】
前記切開かれた脚被覆手段の第１端は前記第１バンプの側端に対して連続して連結されることと、
前記切開かれた脚被覆手段の第２端は前記第２バンプの側端に対して連続して連結されることとを特徴とする請求項９に記載の履物。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
尿失禁治療のための、中心軸（１５０）の周囲に配置された装置（１００）であって、
中心軸（１５０）上に位置するノード（１０８）と、
前記ノードに取り付けられた、尿道支持を提供するのに適合したサポート部（１１０）と、
前記ノードに取り付けられた、前記装置の動きに抵抗するのに適合した固着部（１０６）と、
を備え、
前記ノードが、前記ノード（１０８）、サポート部（１１０）及び前記固着部（１０６）を一緒に備える前記装置の全長の３０％より長くない、装置。
【請求項２】
前記ノード（１０８）が、尿失禁治療のための前記装置の全長の２０％より長くない、請求項１の装置。
【請求項３】
前記ノード（１０８）が、尿失禁治療のための前記装置の全長の１５％より長くない、請求項２の装置。
【請求項４】
前記サポート部（１１０）が、少なくとも２つの支持アーム（１１４）を有する、請求項１から３のいずれかの装置。
【請求項５】
前記固着部（１０６）が、少なくとも２つの固着アーム（１１２）を有する、請求項１から３のいずれかの装置。
【請求項６】
カバー（９００）をさらに備える、請求項１から５のいずれかの装置。
【請求項７】
前記カバー（９００）が、実質的に、前記ノード（１０８）、サポート部（１１０）及び前記固着部（１０６）を封入する、請求項６の装置。
【請求項８】
少なくとも、前記サポート部（１１０）及び前記固着部（１０６）が柔軟である、請求項１から７のいずれかの装置。
【請求項９】
少なくとも、前記ノード（１０８）が柔軟である、請求項１から７のいずれかの装置。
【請求項１０】
デバイス排除器（９０２）をさらに備える、請求項１から９のいずれかの装置。
【請求項１１】
前記デバイス排除器（９０２）が、前記サポート部（１１０）に取り付けられた、請求項１０の装置。
【請求項１２】
前記支持アーム（１１４）を連結するサポート支材（３２０）をさらに備える、請求項４から１１のいずれかの装置。
【請求項１３】
前記装置を膣内に挿入するのに適合したアプリケータ（１０００）をさらに備える、請求項１から１２のいずれかの装置。
【請求項１４】
中心軸（１５０）の周囲に対称的に配置された、請求項１から１３のいずれかの装置。
【請求項１５】
装置（１００）の長さが５０ｍｍ以下である、請求項１から１４のいずれかの装置。
【請求項１６】
複数の外向きに展開するアーム（４１４）を用いる尿道支持を提供するのに適合したサポート部（４１０）と、
前記サポート部（４１０）の直径を、アーム（４１４）を外向きに押しやることにより、調整するのに適合した展開する挿入部（８００）と、
を備える尿失禁治療のための装置（４００）。
【請求項１７】
ノード（４０８）及び前記装置の動きに抵抗するのに適合した固着部（４０６）をさらに備える、請求項１６の装置。
【請求項１８】
カバー（９００）をさらに備える、請求項１６ないし１７のいずれかの装置。
【請求項１９】
前記カバー（９００）が、実質的に、前記ノード（４０８）、サポート部（４１０）、前記固着部（４０６）及び展開する挿入部（８００）を封入する、請求項１８の装置。
【請求項２０】
デバイス排除器（９０２）をさらに備える、請求項１６から１９のいずれかの装置。
【請求項２１】
前記デバイス排除器（９０２）が、前記サポート部（４１０）に取り付けられた、請求項２０の装置。
【請求項２２】
前記装置を膣内に挿入するのに適合したアプリケータ（１０００）をさらに備える、請求項１６から２１のいずれかの装置。
【請求項２３】
膣に挿入されたときに失禁の治療のために尿道支持を与えるのに適合した複数のアーム（４１４）を有するボディ（４００）と、
アーム折り畳み器（９００）と、
引かれた場合に、ａ）アーム（４１４）が折り畳まれる、ｂ）装置が移動される、ような、アーム折り畳み器（９００）と結合したデバイス排除器（９０２）と、
を備える尿失禁治療のための装置。
【請求項２４】
前記デバイス排除器（９０２）が糸である、請求項２３に記載の装置。
【請求項２５】
前記装置が、柔軟であり、前記糸によって変形する、請求項２４に記載の装置。
【請求項２６】
好適な配備位置を有し、展開及び固着する膣デバイスを挿入するための装置（１０５０）であって、
前記膣デバイスを収める収納器と、
止め具（１０５８）と、
を備え、
前記止め具（１０５８）が過挿入を防止し、前記収納器の外側に調整可能なように配置される、装置。
【請求項２７】
前記装置上に複数の選択可能な位置を備え、前記止め具（１０５８）を調整可能に前記位置の一つに位置させる際に、前記装置を前記膣へ前記止め具（１０５８）まで挿入すると、前記装置が、前記膣内で展開するのに適切な位置にあるように配置されることになる、請求項２６に記載の装置。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
骨盤臓器脱出症の治療のため膣の側壁に適切な圧力を加えるためのサイズと形状をしたリング状の本体と、
前記リング状の本体を膣に挿入するための、リング状の本体を封入するアプリケータと、
を備える骨盤臓器脱出症の治療のための装置であって、
リング状の本体が柔軟であるという特徴を持ち、
前記本体の挿入が必ずしも正確でなくてもいいように、リング状の本体が自然に脱出治療に適切な回転上の位置に、所定の多面体形状をとって、収まるように、すくなくとも３つの異なる点で、あるいは少なくとも二つの軸にそって折りたたむことができる装置。
【請求項２】
前記多面本体が、三軸方向に広がる請求項１に記載の装置。
【請求項３】
デバイス排除器をさらに備える請求項１又は２に記載の装置。
【請求項４】
前記本体の少なくとも部分上に配置された柔らかい外部層をさらに備え、前記柔らかい外部層が快適性を増すのに適合した、請求項１ないし３のいずれかに記載の装置。
【請求項５】
前記本体の少なくとも部分上に配置された柔らかい外部層をさらに備え、前記柔らかい外部層が壊死を防止するのに適合した、請求項１ないし４のいずれかに記載の装置。
【請求項６】
柔らかい外部層がスポンジゴムからなる、請求項４又は５に記載の装置。
【請求項７】
前記装置がすくなくとも部分的に柔軟であり、前記装置が、前記膣にある間及び前記膣から除去中に、前記装置に加えられる力に対して柔軟である、請求項１ないし６のいずれかに記載の装置。
【請求項８】
使い捨て可能である、請求項１ないし７のいずれかに記載の装置。
【請求項９】
前記本体が、前記挿入後、尿道を直接圧迫しないようにするのに適した、請求項１ないし８のいずれかに記載の装置。
【請求項１０】
リング状の本体が、その長さ方向にそって種々の程度の剛性を備えて、挿入時に、本体が所定の多面形状を取ることを可能とする、請求項１ないし９のいずれかに記載の装置。
【請求項１１】
リング状の本体が、挿入時に所定の多面形状に弾性的に拡張する、請求項１ないし９のいずれかに記載の装置。
【請求項１２】
膣に挿入されたときに骨盤臓器をサポートするのに適合した本体と、アンカー体とを備え、前記アンカー体が、選択的に前記本体に貼り付けられる、骨盤臓器脱出症を治療する装置。
【請求項１３】
前記本体が、非平面で、三軸に沿って広がる請求項１２に記載の装置。
【請求項１４】
デバイス排除器をさらに備える、請求項１２又は１３に記載の装置。
【請求項１５】
前記本体の少なくとも部分上に配置された柔らかい外部層をさらに備えた、請求項１２ないし１４のいずれかに記載の装置。
【請求項１６】
前記装置が、前記膣にある間及び前記膣から除去中に、前記装置に加えられる力に応じて柔軟であることに適合した、請求項１２ないし１５のいずれかに記載の装置。
【請求項１７】
使い捨て可能である、請求項１２ないし１６のいずれかに記載の装置。
【請求項１８】
前記本体が、膣口に向う除去する力が加わる際に変形可能である、請求項１２ないし１７のいずれかに記載の装置。
【請求項１９】
前記装置の挿入に適合したアプリケータをさらに備える、請求項１２ないし１８のいずれかに記載の装置。
【請求項２０】
前記アンカー体がリング状である、請求項１２ないし１９のいずれかに記載の装置。
【請求項２１】
前記アンカー体が卵形である、請求項１２ないし１９のいずれかに記載の装置。
【請求項２２】
前記アンカー体が多辺形である、請求項１２ないし１９のいずれかに記載の装置。
【請求項２３】
膣に挿入されたときに骨盤臓器をサポートするのに適合した薄い本体であって、少なくともその上の三点で変形可能である本体を備える骨盤臓器脱出症の治療のための装置。
【請求項２４】
前記本体が、非平面で、三軸に沿って広がる請求項２３に記載の装置。
【請求項２５】
前記装置に動作を付与するのに適合した、デバイス排除器をさらに備える請求項２３又は２４に記載の装置。
【請求項２６】
前記本体の少なくとも部分上に配置された柔らかい外部層をさらに備え、前記柔らかい外部層が壊死を防止するのに適合した、請求項２３ないし２５のいずれかに記載の装置。
【請求項２７】
前記装置が、前記膣にある間及び前記膣から除去中に、前記装置に加えられる力に応じて柔軟であることに適合した、請求項２３ないし２６のいずれかに記載の装置。
【請求項２８】
使い捨て可能である、請求項２３ないし２７のいずれかに記載の装置。
【請求項２９】
前記装置が、前記挿入に際して直接尿道を押し付けない、請求項２１ないし２８のいずれかに記載の装置。
【請求項３０】
前記本体が中空の内腔を有する装置であって、柔軟なチューブをさらに備え、前記チューブが前記本体に取り付けられ、中空の内腔を与えられ、前記本体の中空の内腔と流体接触する、前記チューブ及び本体により排斥された内腔に配置された非圧縮性の流動体、及び、ブロックするメカニズム、前記ブロックするメカニズムが、それによって前記内腔内の前記非圧縮性の流動体を制約する前記チューブ上にスライド可能なように配置される、請求項１ないし２９のいずれかに記載の装置。
【請求項３１】
前記柔軟なチューブが、追加の貯蔵空間をさらに備え、前記チューブ及び本体により排斥された内腔の体積を増加する、請求項３０に記載の装置。
【請求項３２】
前記装置の挿入に使用されるアプリケータをさらに備える、請求項２３ないし３１のいずれかに記載の装置。